(57)【要約】【課題】部品点数と組立工数及び分解工数を削減することができる電力量計を提供する。【解決手段】電力配電線を固定するとともにベース嵌合部１９が形成されたベース１３と、ベース１３に取り付けられるとともにベース嵌合部１９に嵌合するケース嵌合部１８が形成されたケース１０とを備え、ケース嵌合部１８又はベース嵌合部１９の一方の嵌合部は、爪部２１が形成された可撓性部材２０を有し、ケース嵌合部１８又はベース嵌合部１９の他方の嵌合部は、爪部２１と嵌合する凹部１９２を有し、爪部２１を凹部１９２に嵌合させることでベース１３をケース１０に取り付け、爪部２１と凹部１９２との間に工具５を差し込むことでケース１０からベース１３を取り外す。【選択図】図１
2015210103.tif 000002
【特許請求の範囲】
【請求項１】
電力配電線を固定するとともにベース嵌合部が形成されたベースと、
前記ベースに取り付けられるとともに前記ベース嵌合部に嵌合するケース嵌合部が形成されたケースとを備え、
前記ケース嵌合部は、爪部が形成された可撓性部材を有し、
前記ベース嵌合部は、前記爪部と嵌合する凹部を有し、
前記可撓性部材の内の工具が挿入される部分に、前記爪部に向かってテーパ状をなすテーパ部が形成され、
前記爪部を前記凹部に嵌合させることで前記ベースを前記ケースに取り付け、前記工具により前記テーパ部を押圧することで前記爪部を前記凹部から退避させて前記ケースから前記ベースを取り外すことを特徴とする電力量計。
【請求項２】
前記爪部の内の前記凹部に引掛けられる部分が前記ケースと対向するように配置されることを特徴とする請求項１記載の電力量計。
【請求項３】
電力配電線を固定するとともにベース嵌合部が形成されたベースと、
前記ベースに取り付けられるとともに前記ベース嵌合部に嵌合するケース嵌合部が形成されたケースとを備え、
前記ベース嵌合部は、爪部が形成された可撓性部材を有し、
前記ケース嵌合部は、前記爪部と嵌合する凹部を有し、
前記爪部を前記凹部に嵌合させることで前記ベースを前記ケースに取り付け、工具により前記爪部を押圧することで前記爪部を前記凹部から退避させることで前記ケースから前記ベースを取り外すことを特徴とする電力量計。
【請求項４】
前記ケース嵌合部と前記ベース嵌合部の一方の嵌合部には複数個の前記可撓性部材が形成され、前記ケース嵌合部と前記ベース嵌合部の他方の嵌合部には複数個の前記可撓性部材に対応して複数個の凹部が形成されていることを特徴とする請求項１乃至請求項３のいずれか１項記載の電力量計。
【請求項５】
前記ケース嵌合部及び前記ベース嵌合部は、複箇箇所に形成されていることを特徴とする請求項１乃至請求項４のいずれか１項記載の電力量計。
【発明の詳細な説明】
【技術分野】
【０００１】
本発明は、ケースとベースとを備えた電力量計に関する。
【背景技術】
【０００２】
電力量計は、電力配電線を固定するベースと、ベースに取り付けられるケースとを有して構成される。
【０００３】
図８は、従来の電力量計の斜視図である。図８（ａ）〜図８（ｃ）はケース１０にベース１３を取り付けた状態を示す。図９、図１０は、図８に示す従来の電力量計の分解図である。電力量を表示する表示部１５を有する回路部１４は、ケース１０に収納される。導体部１６には導体部１６に流れる電流を検出するセンサ部１７が取り付けられている。
【０００４】
４つの導体部１６の内、左側の２つの導体部１６には、電力供給側からの配電線を固定する電源側端子が取り付けられている。右側の２つの導体部１６には、需要家への配電線を固定する負荷側端子が取り付けられている。導体部１６はベース１３に収納され、ケース１０に取り付けられる。
【０００５】
この電力量計では、１つ以上の特殊な封印ねじ１２を、ケース１０とベース１３とを挟み込むようにして、ベース１３の雌ねじ部に締め付けることでケース１０とベース１３とを固定する。また、修理等でケース１０とベース１３とを分解する際には、ドライバーでねじ１２を外していた。
【０００６】
なお、従来の技術として、例えば、特許文献１に記載された電力量計が知られている。
【先行技術文献】
【特許文献】
【０００７】
【特許文献１】特開２０１３−２１７８６８号公報
【発明の概要】
【発明が解決しようとする課題】
【０００８】
しかしながら、封印ねじ１２等のねじが増加したり、ねじを締め付ける工程が増加したり、修理等でねじを外す工程が増加する。このため、コストがアップしていた。
【０００９】
本発明の課題は、部品点数と組立工数及び分解工数を削減することができる電力量計を提供する。
【課題を解決するための手段】
【００１０】
上記課題を解決するために、本発明に係る請求項１の発明は、電力配電線を固定するとともにベース嵌合部が形成されたベースと、前記ベースに取り付けられるとともに前記ベース嵌合部に嵌合するケース嵌合部が形成されたケースとを備え、前記ケース嵌合部は、爪部が形成された可撓性部材を有し、前記ベース嵌合部は、前記爪部と嵌合する凹部を有し、前記可撓性部材の内の工具が挿入される部分に、前記爪部に向かってテーパ状をなすテーパ部が形成され、前記爪部を前記凹部に嵌合させることで前記ベースを前記ケースに取り付け、前記工具により前記テーパ部を押圧することで前記爪部を前記凹部から退避させて前記ケースから前記ベースを取り外すことを特徴とする。
【００１１】
請求項２の発明は、前記爪部の内の前記凹部に引掛けられる部分が前記ケースと対向するように配置されることを特徴とする。
【００１２】
請求項３の発明は、電力配電線を固定するとともにベース嵌合部が形成されたベースと、前記ベースに取り付けられるとともに前記ベース嵌合部に嵌合するケース嵌合部が形成されたケースとを備え、前記ベース嵌合部は、爪部が形成された可撓性部材を有し、前記ケース嵌合部は、前記爪部と嵌合する凹部を有し、前記爪部を前記凹部に嵌合させることで前記ベースを前記ケースに取り付け、工具により前記爪部を押圧することで前記爪部を前記凹部から退避させることで前記ケースから前記ベースを取り外すことを特徴とする。
【００１３】
請求項４の発明は、前記ケース嵌合部と前記ベース嵌合部の一方の嵌合部には複数個の前記可撓性部材が形成され、前記ケース嵌合部と前記ベース嵌合部の他方の嵌合部には複数個の前記可撓性部材に対応して複数個の凹部が形成されていることを特徴とする。
【００１４】
請求項５の発明は、前記ケース嵌合部及び前記ベース嵌合部は、複箇箇所に形成されていることを特徴とする。
【発明の効果】
【００１５】
本発明によれば、爪部を凹部に嵌合させることでベースをケースに取り付け、爪部と凹部との間に工具を差し込むことでケースからベースを取り外すことができるので、部品点数と組立工数及び分解工数を削減することができる電力量計を提供することができる。
【図面の簡単な説明】
【００１６】
【図１】本発明の実施例１に係る電力量計の斜視図である。
【図２】本発明の実施例１に係る電力量計の分解図である。
【図３】本発明の実施例１に係る電力量計の分解図である。
【図４】本発明の実施例１に係る電力量計のスナップフィット部の爪部とベースの凹部との取り付け及び分解を示す概略構成図である。
【図５】本発明の実施例２に係る電力量計のスナップフィット部の爪部とベースの凹部との取り付け及び分解を示す概略構成図である。
【図６】本発明の実施例３に係る電力量計のスナップフィット部の爪部とベースの凹部との取り付け及び分解を示す概略構成図である。
【図７】本発明の実施例４に係る電力量計のスナップフィット部の爪部とベースの凹部との取り付け及び分解を示す概略構成図である。
【図８】従来の電力量計の斜視図である。
【図９】図８に示す従来の電力量計の分解図である。
【図１０】図８に示す従来の電力量計の分解図である。
【発明を実施するための形態】
【００１７】
以下、本発明の実施の形態に係る電力量計について、図面を参照しながら詳細に説明する。
【実施例１】
【００１８】
図１は、本発明の実施例１に係る電力量計の斜視図である。図２、図３は、本発明の実施例１に係る電力量計の分解図である。
【００１９】
図１に示す電力量計は、電力配電線を固定するとともにベース嵌合部１９が形成されたベース１３と、ベース１３に取り付けられるとともにベース嵌合部１９に嵌合するケース嵌合部１８が形成されたケース１０とを備える。
【００２０】
図２、図３において、電力量を表示する表示部１５を有する回路部１４は、ケース１０に収納される。導体部１６には導体部１６に流れる電流を検出するセンサ部１７が取り付けられている。
【００２１】
４つの導体部１６の内、左側の２つの導体部１６には、電力供給側からの配電線を固定する電源側端子が取り付けられている。右側の２つの導体部１６には、需要家への配電線を固定する負荷側端子が取り付けられている。導体部１６はベース１３に収納され、ケース１０に取り付けられる。ベース嵌合部１９は、窪み部１９ａを有し、窪み部１９ａを介してケース嵌合部１８に嵌合している。
【００２２】
図４は、本発明の実施例１に係る電力量計のスナップフィット部（本発明の可撓性部材に対応）２０の爪部２１とベース凹部１９２との取り付け及び分解を示す概略構成図である。図４（ａ）は、図２に示すベース嵌合部１９のＡ−Ａ断面図、図４（ｂ）は、図４（ａ）のＢ−Ｂ断面図、図４（ｃ）は、図４（ａ）のＣ−Ｃ断面図、図４（ｄ）は、ケース嵌合部１８の詳細図である。
【００２３】
図４（ｂ）に示すように、ケース嵌合部１８には腕状のスナップフィット部２０が形成されており、このスナップフィット部２０の先端には爪部２１が形成されている。図４（ｃ）に示すように、ベース嵌合部１９には段部１９１とスナップフィット部２０の爪部２１と嵌合するベース凹部１９２が形成されている。
【００２４】
また、図４（ｄ）に示すように、スナップフィット部２０の内の工具５が挿入される部分には、ケース嵌合部１８の平坦部から爪部２１に向かってテーパ状をなすテーパ部２２が形成されている。このため、爪部２１の内の２か所の引掛部１８１がベース凹部１９２に嵌合されている。
【００２５】
このように構成された実施例１の電力量計によれば、ケース１０にベース１３を取り付ける際には、ベース嵌合部１９の窪み部１９ａにケース嵌合部１８を嵌合させ、スナップフィット部２０の爪部２１とベース凹部１９２とを嵌合させる。これにより、第三者によるイタズラ等により電力量計を開けることができないようにすることができる。
【００２６】
また、ケース１０とベース１３とを分解する際には、窪み部１９ａから工具５を挿入し、図４（ｂ）に示すように、工具５をスナップフィット部２０のテーパ部２２に沿って下方向に押していく。すると、工具５による押圧力により、爪部２１が右方向に移動するので、爪部２１の引掛部１８１がベース凹部１９２から外れるので、ケース１０からベース１３を分離することができる。従って、部品点数と組立工数及び分解工数を削減することができる電力量計を提供することができる。
【００２７】
また、スナップフィット部２０にテーパ部２２を設け、このテーパ部２２に沿って工具５を押していくことで、ケース１０からベース１３を容易に分離することができる。  
【実施例２】
【００２８】
図５（ａ）は、本発明の実施例２に係る電力量計の斜視図である。図５（ｂ）は、図５（ａ）に示すベース嵌合部１９ＡのＡ−Ａ断面図、図５（ｃ）は、図５（ｂ）のＢ−Ｂ断面図である。
【００２９】
図５（ｃ）に示すように、ベース嵌合部１９Ａはケース１０に接触して配置され、段部１９１ａと、スナップフィット部２０ａの爪部２１と嵌合するベース凹部１９２ａとが形成されている。
【００３０】
ケース嵌合部１８Ａに形成された腕状のスナップフィット部２０ａは、ベース嵌合部１９Ａ及びケース１０の外側に配置されており、このスナップフィット部２０ａの先端には爪部２１が形成され、爪部２１の内のベース凹部１９２ａに引掛けられる部分がケース１０と対向するように配置されている。
【００３１】
スナップフィット部２０ａの内の工具５が挿入される部分には、爪部２１に向かってテーパ状をなすテーパ部２２ａが形成されている。
【００３２】
このように構成された電力量計によれば、ケース１０にベース１３を取り付ける際には、スナップフィット部２０ａの爪部２１とベース凹部１９２ａとを嵌合させる。これにより、第三者によるイタズラ等により電力量計を開けることができないようにすることができる。
【００３３】
また、ケース１０とベース１３とを分解する際には、角穴部１８２から工具５を挿入し、工具５をスナップフィット部２０ａのテーパ部２２ａに沿って下方向に押していく。すると、工具５による押圧力により、爪部２１が左方向に移動するので、爪部２１がベース凹部１９２ａから外れるので、ケース１０からベース１３を分離することができる。従って、部品点数と組立工数及び分解工数を削減することができる電力量計を提供することができる。
【００３４】
また、爪部２１の内のベース凹部１９２ａに引掛けられる部分がケース１０と対向するように配置されているので、ケース１０とベース１３とを縮小することができ、電力量計を軽量化できるとともに、コストを低減することができる。
【実施例３】
【００３５】
図６（ａ）は、本発明の実施例３に係る電力量計の斜視図である。図６（ｂ）は、図６（ａ）に示すケース嵌合部１８ＢのＡ−Ａ断面図、図６（ｃ）は、図６（ｂ）のＢ−Ｂ断面図である。実施例３に係る電力量計は、図６（ｃ）に示すように、べース嵌合部１９Ｂにスナップフィット部２０ｂが形成され、ケース嵌合部１８Ｂにケース凹部１８６が形成されていることを特徴とする。
【００３６】
スナップフィット部２０ｂの先端にはケース凹部１８６と嵌合する爪部２１ａが形成されている。ケース嵌合部１８Ｂには段部１８７とケース凹部１８６とが形成されている。爪部２１ａに形成された引掛部１９３がケース凹部１８６に引っ掛けられるようになっている。
【００３７】
このように構成された電力量計によれば、ケース１０にベース１３を取り付ける際には、ケース嵌合部１８Ｂをべース嵌合部１９Ｂに嵌合させ、スナップフィット部２０ｂの爪部２１ａとケース凹部１８６とを嵌合させる。これにより、第三者によるイタズラ等により電力量計を開けることができないようにすることができる。
【００３８】
また、ケース１０とベース１３とを分解する際には、角穴部１８３から工具５を挿入し、図４（ｃ）に示すように、工具５を下方向に押していく。すると、工具５による爪部２１ａへの押圧力により、爪部２１ａが右方向に移動するので、爪部２１ａがケース凹部１８６から外れるので、ケース１０からベース１３を分離することができる。従って、部品点数と組立工数及び分解工数を削減することができる電力量計を提供することができる。また、爪部２１ａとケース凹部１８６とが工具５を挿入する角穴部１８３の位置に近い位置に配置されているので、ケース１０からベース１３を分離する時間を短縮することができる。
【実施例４】
【００３９】
図７は、本発明の実施例４に係る電力量計のスナップフィット部の爪部とベースの凹部との取り付け及び分解を示す概略構成図である。
【００４０】
図７（ａ）、図７（ｃ）は、本発明の実施例４に係る電力量計の斜視図である。図７（ｂ）は、図７（ａ）に示すべース嵌合部１９ＣのＡ−Ａ断面図である。実施例４に係る電力量計は、一方の嵌合部であるケース嵌合部１８Ｃに２個のスナップフィット部２０ｃが形成され、他方の嵌合部であるべース嵌合部１９Ｃには２個のスナップフィット部２０ｃに対応して２個のベース凹部１９２が形成されていることを特徴とする。
【００４１】
このように構成された電力量計によれば、２個のスナップフィット部２０ｃに形成された２個の爪部２１と２個のベース凹部１９２とがそれぞれ嵌合するので、第三者によるイタズラ防止効果をさらに向上することができる。
【００４２】
また、上述したケース嵌合部１８Ｃ及びべース嵌合部１９Ｃは、ケース１０及びベース１３の複箇箇所に形成しても良い。このようにすれば、電力量計のガタツキを抑えることができ、また、第三者によるイタズラ防止効果を向上することができる。
【００４３】
なお、本発明は、上述した実施例１乃至実施例４の電力量計に限定されるものではない。実施例１乃至実施例４の電力量計の２つ以上の実施例を組み合わせても良い。このようにすれば、さらに、効果が大となる。
【符号の説明】
【００４４】
５  工具
１０  ケース
１２  ねじ
１３  ベース
１４  回路部
１５  表示部
１６  導体部
１７  センサ部
１８，１８Ａ，１８Ｂ，１８Ｃ  ケース嵌合部
１９，１９Ａ，１９Ｂ，１９Ｃ  ベース嵌合部
１９ａ  窪み部
２０，２０ａ，２０ｂ  スナップフィット部
２１，２１ａ  爪部
２２，２２ａ  テーパ部
１８１，１９３  引掛部
１８２，１８３  角穴部
１８６  ケース凹部
１８７，１９１，１９１ａ  段部
１９２，１９２ａ  ベース凹部
【図１】
2015210103.tif 000003
【図２】
2015210103.tif 000004
【図３】
2015210103.tif 000005
【図４】
2015210103.tif 000006
【図５】
2015210103.tif 000007
【図６】
2015210103.tif 000008
【図７】
2015210103.tif 000009
【図８】
2015210103.tif 000010
【図９】
2015210103.tif 000011
【図１０】
2015210103.tif 000012